(57)【特許請求の範囲】
【請求項１】
下記化学式４、５、７、９、１１、１３、１５〜１８、２０、又は２１で表される化合物を電解液中に０．０１重量％ないし５重量％の含有量で含む、非水系電解液のための電気化学素子用添加剤：
【化１】
0006699858.tif 000026
前記化学式４において、
Ｒ１ないしＲ３は、互いに同一であるか異なっており、それぞれ独立して、水素またはヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基であって、前記置換基は、ヒドロキシ基、−ＮＲｇＲｈ、エステル基、カーボネート基、カルボニル基、Ｃ１−Ｃ２０のアルキル基、Ｃ１−Ｃ２０のアルコキシ基、Ｃ２−Ｃ２０のアルキニル基、Ｃ２−Ｃ２０のアルキレンオキシド基、Ｃ３−Ｃ３０のシクロアルキル基、またはこれらの組合わせからなる群より選択された１つ以上の置換基を意味し、ここで、Ｒｇ及びＲｈは、互いに同一であるか異なっており、それぞれ独立して、Ｃ１−Ｃ２０のアルキル基であり、
Ｒ１１ないしＲ１５は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、Ｒｇ及びＲｈは、互いに同一であるか異なっており、それぞれ独立して、置換もしくは非置換のＣ１−Ｃ２０のアルキル基である：
【化２】
0006699858.tif 000027
前記化学式５において、
Ｒ１ないしＲ６は、化学式４のＲ１ないしＲ３で定義した通りであり、
Ｒは、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｎは１ないし４の整数であり、ｎが２以上の場合、Ｒは互いに同一であるか異なっている：
【化３】
0006699858.tif 000028
前記化学式７において、
Ｒ１ないしＲ９は、化学式４のＲ１ないしＲ３で定義した通りであり、
Ｒは、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｍは１ないし３の整数であり、ｍが２以上の場合、Ｒは互いに同一であるか異なっている：
【化４】
0006699858.tif 000029
前記化学式９において、
Ｒ１ないしＲ３は、化学式４で定義した通りであり、
Ｒ及びＲ'は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｐは１ないし４の整数であり、ｐが２以上の場合、Ｒは互いに同一であるか異なっており、
ｑは１ないし５の整数であり、ｑが２以上の場合、Ｒ'は互いに同一であるか異なっている：
【化５】
0006699858.tif 000030
前記化学式１１において、
Ｒ１ないしＲ６は、化学式４のＲ１ないしＲ３で定義した通りであり、
Ｒ及びＲ'は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｐは１ないし４の整数であり、ｐが２以上の場合、Ｒは互いに同一であるか異なっており、
ｒは１ないし４の整数であり、ｒが２以上の場合、Ｒ'は互いに同一であるか異なっている：
【化６】
0006699858.tif 000031
前記化学式１３において、
Ｒ１ないしＲ６は、化学式４のＲ１ないしＲ３で定義した通りであり、
Ｒ及びＲ'は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｔは１ないし６の整数であり、ｔが２以上の場合、Ｒは互いに同一であるか異なっており、
ｕは１ないし６の整数であり、ｕが２以上の場合、Ｒ'は互いに同一であるか異なっている：
【化７】
0006699858.tif 000032
前記化学式１５において、
Ｒ１ないしＲ３は、化学式４で定義した通りであり、
Ｒ１１及びＲ１２は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である：
【化８】
0006699858.tif 000033
前記化学式１６において、
Ｒ１ないしＲ６は、化学式４のＲ１ないしＲ３で定義した通りであり、
Ｒ１１は、互いに同一であるか異なっており、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である：
【化９】
0006699858.tif 000034
前記化学式１７において、
Ｒ１ないしＲ９は、化学式４のＲ１ないしＲ３で定義した通りある：
【化１０】
0006699858.tif 000035
前記化学式１８において、
Ｒ１ないしＲ３は、化学式４で定義した通りであり、
Ｘ１は、Ｏ、ＳまたはＮＨであり、
Ｒは、互いに同一であるか異なっており、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｐは１ないし３の整数であり、ｐが２以上の場合、Ｒは互いに同一であるか異なっている：
【化１１】
0006699858.tif 000036
前記化学式２０において、
Ｒ１ないしＲ６は、化学式４のＲ１ないしＲ３で定義した通りであり、
Ｘ１は、Ｏ、ＳまたはＮＨであり、
Ｒは、互いに同一であるか異なっており、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基, 置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｎは１または２であり、ｎが２の場合、Ｒは互いに同一であるか異なっている：
【化１２】
0006699858.tif 000037
前記化学式２１において、
Ｒ１ないしＲ９は、化学式４のＲ１ないしＲ３で定義した通りであり、
Ｘ１は、Ｏ、ＳまたはＮＨであり、
Ｒは、互いに同一であるか異なっており、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基であり、
ｍは１である。
【請求項２】
前記化学式５の化合物は、下記化学式６で表されるものである請求項１に記載の電気化学素子用添加剤：
【化１３】
0006699858.tif 000038
前記化学式６において、
Ｒ１ないしＲ６は、化学式５で定義した通りであり、
Ｒ１１ないしＲ１４は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項３】
前記化学式７の化合物は、下記化学式８で表されるものである請求項１に記載の電気化学素子用添加剤：
【化１４】
0006699858.tif 000039
前記化学式８において、
Ｒ１ないしＲ９は、化学式７で定義した通りであり、
Ｒ１１ないしＲ１３は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項４】
前記化学式９の化合物は、下記化学式１０で表されるものである請求項１に記載の電気化学素子用添加剤：
【化１５】
0006699858.tif 000040
前記化学式１０において、
Ｒ１ないしＲ３は、化学式９で定義した通りであり、
Ｒ２１ないしＲ２９は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項５】
前記化学式１１の化合物は、下記化学式１２で表されるものである請求項１に記載の電気化学素子用添加剤：
【化１６】
0006699858.tif 000041
前記化学式１２において、
Ｒ１ないしＲ６は、化学式１１で定義した通りであり、
Ｒ２１ないしＲ２８は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項６】
前記化学式１３の化合物は、下記化学式１４で表されるものである請求項１に記載の電気化学素子用添加剤：
【化１７】
0006699858.tif 000042
前記化学式１４において、
Ｒ１ないしＲ６は、化学式１３で定義した通りであり、
Ｒ３１ないしＲ４２は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項７】
前記化学式１８の化合物は、下記化学式１９で表されるものである請求項１に記載の電気化学素子用添加剤：
【化１８】
0006699858.tif 000043
前記化学式１９において、
Ｒ１ないしＲ３は、化学式１８で定義した通りであり、
Ｘ１は、Ｏ、ＳまたはＮＨであり、
Ｒ１１ないしＲ１３は、互いに同一であるか異なっており、それぞれ独立して、水素、ヒドロキシ基、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、またはこれらの組合わせであるか、隣接する基と互いに結合して環を形成し、ここで、Ｒｇ及びＲｈは、互いに同一であるか異なっており、それぞれ独立して、置換もしくは非置換のＣ１−Ｃ２０のアルキル基である。
【請求項８】
請求項１ないし請求項７のいずれか一項に記載の 電気化学素子用添加剤を含む非水電解液。
【請求項９】
前記電解液は、電解質塩及び電解液溶媒をさらに含むものである請求項８に記載の電解液。
【請求項１０】
非水系電解液に添加された請求項１ないし請求項７のいずれか一項に記載の電気化学素子用添加剤中の化学式４〜２１の化合物が酸成分を捕集して生成された物質の酸化的高分子反応によって形成された膜を、表面の一部または全部に備えた電極。
【請求項１１】
前記電極は、正極、負極、または正極と負極である請求項１０に記載の電極。
【請求項１２】
正極、負極、セパレータ及び請求項８に記載の電解液を含む二次電池。
【請求項１３】
前記正極及び前記負極のうち少なくとも一つは、電気化学素子用添加剤中の化学式４〜２１の化合物が酸成分を捕集して生成された物質の酸化的高分子反応によって形成された膜を、表面の一部または全部に備えたものである請求項１２に記載の二次電池。
【請求項１４】
正極、負極、セパレータ及び電解液を含み、前記正極及び前記負極のうち少なくとも一つは、請求項１０に記載の電極である二次電池。
【発明の詳細な説明】
【技術分野】
【０００１】
本出願は、２０１４年６月２７日に韓国特許庁に提出された韓国特許出願第 １０−２０１４−００８０２００号の出願日の利益を主張し、その内容はいずれも本明細書に含まれる。
【０００２】
本明細書は、電気化学素子用添加剤に関する。また、本明細書は、電気化学素子用添加剤を含む電解液及び電極に関する。また、本明細書は、電気化学素子用添加剤を含む電気化学素子に関する。
【背景技術】
【０００３】
リチウム二次電池は、電気自動車、ハイブリッドカー、大容量の電力貯蔵装置などの中大型電源供給装置と携帯型機器の電源供給装置として重要性と使用量が拡大しつつある。近年、リチウム二次電池の分野において、電極活物質の開発を通じて電池の電流密度と電圧の増大を持続的に追及しており、このような性能強化による適用素材の全般的な性能強化が要求されている。このようなリチウム二次電池において、容量と電圧の増加によるサイクル容量維持特性の確保は、電池性能の強化に必須に要求される特性の一つである。このような特性を確保するための一つの方策である電極活物質の安定化は、容量維持と関連性が大きく、特に遷移金属を含む正極活物質の安定化は、サイクルの維持に重要に作用することができ、高電圧、高温条件での容量維持に直接関連すると言える。リチウム二次電池の容量、寿命、高温特性などの種々の性能改善のために、多様な材料の開発が要求されている。
【発明の概要】
【発明が解決しようとする課題】
【０００４】
本明細書は、電気化学素子用添加剤と、上記添加剤を含む電解液、電極及び電気化学素子を提供する。
【課題を解決するための手段】
【０００５】
本明細書の一実施態様は、下記化学式１で表される化合物を含む電気化学素子用添加剤を提供する。
【０００６】
【化１】
0006699858.tif 000002
【０００７】
上記化学式１において、
Ｘは、置換もしくは非置換の一価のアリール基または置換もしくは非置換の一価のヘテロアリール基であり、
Ｒ１ないしＲ３は、互いに同一であるか異なっており、それぞれ独立して、水素または一価の有機基である。
【０００８】
本明細書のまた一つの実施態様は、上記電気化学素子用添加剤を含む電解液を提供する。
【０００９】
本明細書のまた一つの実施態様は、上記化学式１の化合物が酸成分を捕集して生成された物質の酸化的高分子反応によって形成された膜を、表面の一部または全部に備えた電極を提供する。
【００１０】
また、本明細書の一実施態様は、正極、負極、セパレータ及び電解液を含む電気化学素子であって、上記電解液が上記電気化学素子用添加剤を含むか、及び／または、上記正極及び上記負極のうち少なくとも一つの表面の一部または全部に、上記化学式１の化合物が酸成分を捕集して生成された物質の酸化的高分子反応によって形成された膜が備えられたものである電気化学素子を提供する。
【発明の効果】
【００１１】
本明細書の実施態様に係る電気化学素子用添加剤は、電気化学素子の電解液内でＨＦのような酸成分を中和することで、酸成分と電極表面での電解液の分解反応による電極表面の損傷を最小限に抑えることができる。また、本明細書の実施態様に係る電気化学素子用添加剤は、ＨＦのような酸成分を捕集した後、酸化的高分子反応によって電極表面に有効な保護膜を形成して、電解質のさらなる分解を防ぎ、リチウム塩分解物の攻撃から電極を保護する機能を有する。言い換えれば、本明細書の実施態様に係る電気化学素子用添加剤は、ＨＦのような酸成分を捕集して酸成分による電池の性能低下を防止し、特に高温サイクル特性を改善し、高温貯蔵時に電圧降下を減少させて、高温保管性能を向上するだけでなく、電極表面の保護膜の形成を通じて、二次電池の容量、寿命、出力、高温特性など種々の性能を同時に改善できる多重機能の添加剤である。
【発明を実施するための形態】
【００１２】
以下、本明細書についてより詳細に説明する。
【００１３】
本明細書の一実施態様は、下記化学式１で表される化合物を含む電気化学素子用添加剤を提供する。
【００１４】
【化２】
0006699858.tif 000003
上記化学式１において、
Ｘは、置換もしくは非置換の一価のアリール基または置換もしくは非置換の一価のヘテロアリール基であり、
Ｒ１ないしＲ３は、互いに同一であるか異なっており、それぞれ独立して、水素または一価の有機基である。
【００１５】
本明細書のまた一つの実施態様によれば、上記化学式１の化合物は、下記化学式２で表されることができる。
【００１６】
【化３】
0006699858.tif 000004
【００１７】
上記化学式２において、
Ｙは、置換もしくは非置換の二価のアリール基または置換もしくは非置換の二価のヘテロアリール基であり、
Ｒ１ないしＲ６は、互いに同一であるか異なっており、それぞれ独立して、水素または一価の有機基である。
【００１８】
本明細書のまた一つの実施態様によれば、上記化学式１の化合物は、下記化学式３で表されることができる。
【００１９】
【化４】
0006699858.tif 000005
【００２０】
上記化学式３において、
Ｚは、置換もしくは非置換の三価のアリール基または置換もしくは非置換の三価のヘテロアリール基であり、
Ｒ１ないしＲ９は、互いに同一であるか異なっており、それぞれ独立して、水素または一価の有機基である。
【００２１】
本明細書のまた一つの実施態様によれば、上記化学式１のＸは、置換もしくは非置換のＣ６ないしＣ３０のアリール基である。
【００２２】
本明細書のまた一つの実施態様によれば、上記化学式１のＸは、置換もしくは非置換のＣ６ないしＣ１４のアリール基である。
【００２３】
本明細書のまた一つの実施態様によれば、上記化学式１のＸは、置換もしくは非置換のフェニル基、置換もしくは非置換のビフェニル基、または置換もしくは非置換のビナフチル基である。
【００２４】
本明細書のまた一つの実施態様によれば、上記化学式１のＸは、置換もしくは非置換のＣ６ないしＣ３０のヘテロアリール基である。
【００２５】
本明細書のまた一つの実施態様によれば、上記化学式１のＸは、置換もしくは非置換のＣ６ないしＣ１４のヘテロアリール基である。
【００２６】
本明細書のまた一つの実施態様によれば、上記化学式１のＸは、置換もしくは非置換のトリアジン基、または置換もしくは非置換のピロール基である。
【００２７】
本明細書のまた一つの実施態様によれば、上記化学式１のＸが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、 Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【００２８】
本明細書のまた一つの実施態様によれば、上記化学式１のＸが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００２９】
本明細書のまた一つの実施態様によれば、上記化学式１のＸが置換される場合、置換基は、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００３０】
本明細書のまた一つの実施態様によれば、上記化学式１のＸが置換される場合、置換基は、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【００３１】
本明細書のまた一つの実施態様によれば、上記化学式１のＸが置換される場合、置換基は、ヒドロキシ基または−ＯＳｉＲａＲｂＲｃであり、ここで、Ｒａ、Ｒｂ及びＲｃは、互いに同一であるか異なっており、Ｃ１−Ｃ６のアルキル基である。
【００３２】
本明細書のまた一つの実施態様によれば、上記化学式１のＲ１ないしＲ３は、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせである。
【００３３】
本明細書のまた一つの実施態様によれば、上記化学式１のＲ１ないしＲ３は、互いに同一であるか異なっており、それぞれ独立して、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００３４】
本明細書のまた一つの実施態様によれば、上記化学式１のＲ１ないしＲ３は、互いに同一であるか異なっており、それぞれ独立して、置換もしくは非置換のＣ１ないしＣ２０のアルキル基である。
【００３５】
本明細書のまた一つの実施態様によれば、上記化学式１のＲ１ないしＲ３は、互いに同一であるか異なっており、それぞれ独立して、置換もしくは非置換のＣ１ないしＣ６のアルキル基である。
【００３６】
本明細書のまた一つの実施態様によれば、上記化学式１のＲ１ないしＲ３は、互いに同一であるか異なっており、それぞれ独立して、Ｃ１ないしＣ６のアルキル基である。
【００３７】
本明細書のまた一つの実施態様によれば、上記化学式１のＲ１ないしＲ３は、メチル基である。
【００３８】
本明細書のまた一つの実施態様によれば、上記化学式２のＹは、置換もしくは非置換のＣ６ないしＣ３０のアリーレン基である。
【００３９】
本明細書のまた一つの実施態様によれば、上記化学式２のＹは、置換もしくは非置換のＣ６ないしＣ１４のアリーレン基である。
【００４０】
本明細書のまた一つの実施態様によれば、上記化学式２のＹは、置換もしくは非置換のフェニレン基、置換もしくは非置換のビフェニル基、または置換もしくは非置換のビナフチル基である。
【００４１】
本明細書のまた一つの実施態様によれば、上記化学式２のＹは、置換もしくは非置換のＣ６ないしＣ３０のヘテロアリール基である。
【００４２】
本明細書のまた一つの実施態様によれば、上記化学式２のＹは、置換もしくは非置換のＣ６ないしＣ１４のヘテロアリール基である。
【００４３】
本明細書のまた一つの実施態様によれば、上記化学式２のＹは、置換もしくは非置換のトリアジン基、または置換もしくは非置換のピロール基である。
【００４４】
本明細書のまた一つの実施態様によれば、上記化学式２のＹが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは互いに同一であるか異なっており、それぞれ独立して、置換もしくは非置換のＣ１−Ｃ２０のアルキル基、または置換もしくは非置換のＣ６−Ｃ３０のアリール基である。
【００４５】
本明細書のまた一つの実施態様によれば、上記化学式２のＹが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００４６】
本明細書のまた一つの実施態様によれば、上記化学式２のＹが置換される場合、置換基は、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００４７】
本明細書のまた一つの実施態様によれば、上記化学式２のＹが置換される場合、置換基は、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【００４８】
本明細書のまた一つの実施態様によれば、上記化学式２のＹが置換される場合、置換基は、ヒドロキシ基または−ＯＳｉＲａＲｂＲｃであり、ここで、Ｒａ、Ｒｂ及びＲｃは、互いに同一であるか異なっており、Ｃ１−Ｃ６のアルキル基である。
【００４９】
本明細書のまた一つの実施態様によれば、上記化学式２のＲ１ないしＲ６は、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせである。
【００５０】
本明細書のまた一つの実施態様によれば、上記化学式２のＲ１ないしＲ６は、互いに同一であるか異なっており、それぞれ独立して、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００５１】
本明細書のまた一つの実施態様によれば、上記化学式２のＲ１ないしＲ６は、互いに同一であるか異なっており、それぞれ独立して、置換もしくは非置換のＣ１ないしＣ２０のアルキル基である。
【００５２】
本明細書のまた一つの実施態様によれば、上記化学式２のＲ１ないしＲ６は、互いに同一であるか異なっており、それぞれ独立して、置換もしくは非置換のＣ１ないしＣ６のアルキル基である。
【００５３】
本明細書のまた一つの実施態様によれば、上記化学式２のＲ１ないしＲ６は、互いに同一であるか異なっており、それぞれ独立して、Ｃ１ないしＣ６のアルキル基である。
【００５４】
本明細書のまた一つの実施態様によれば、上記化学式２のＲ１ないしＲ６は、メチル基である。
【００５５】
本明細書のまた一つの実施態様によれば、上記化学式３のＺは、置換もしくは非置換のＣ６ないしＣ３０のアリール基である。
【００５６】
本明細書のまた一つの実施態様によれば、上記化学式３のＺは、置換もしくは非置換のＣ６ないしＣ１４のアリール基である。
【００５７】
本明細書のまた一つの実施態様によれば、上記化学式３のＺは、置換もしくは非置換のフェニル基、置換もしくは非置換のビフェニル基、または置換もしくは非置換のビナフチル基である。
【００５８】
本明細書のまた一つの実施態様によれば、上記化学式３のＺは、置換もしくは非置換のＣ６ないしＣ３０のヘテロアリール基である。
【００５９】
本明細書のまた一つの実施態様によれば、上記化学式３のＺは、置換もしくは非置換のＣ６ないしＣ１４のヘテロアリール基である。
【００６０】
本明細書のまた一つの実施態様によれば、上記化学式３のＺは、置換もしくは非置換のトリアジン基、または置換もしくは非置換のピロール基である。
【００６１】
本明細書のまた一つの実施態様によれば、上記化学式３のＺが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【００６２】
本明細書のまた一つの実施態様によれば、上記化学式３のＺが置換される場合、置換基は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、または Ｃ６−Ｃ３０のアリール基である。
【００６３】
本明細書のまた一つの実施態様によれば、上記化学式３のＲ１ないしＲ９は、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせである。
【００６４】
本明細書のまた一つの実施態様によれば、上記化学式３のＲ１ないしＲ９は、互いに同一であるか異なっており、それぞれ独立して、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００６５】
本明細書のまた一つの実施態様によれば、上記化学式３のＲ１ないしＲ９は、互いに同一であるか異なっており、それぞれ独立して、置換もしくは非置換のＣ１ないしＣ２０のアルキル基である。
【００６６】
本明細書のまた一つの実施態様によれば、上記化学式３のＲ１ないしＲ９は、互いに同一であるか異なっており、それぞれ独立して、置換もしくは非置換のＣ１ないしＣ６のアルキル基である。
【００６７】
本明細書のまた一つの実施態様によれば、上記化学式３のＲ１ないしＲ９は、互いに同一であるか異なっており、それぞれ独立して、Ｃ１ないしＣ６のアルキル基である。
【００６８】
本明細書のまた一つの実施態様によれば、上記化学式３のＲ１ないしＲ９は、メチル基である。
【００６９】
本明細書のまた一つの実施態様によれば、上記化学式１の化合物は、下記化学式４で表される。
【００７０】
【化５】
0006699858.tif 000006
【００７１】
上記化学式４において、
Ｒ１ないしＲ３は、化学式１で定義した通りであり、
Ｒ１１ないしＲ１５は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【００７２】
本明細書のまた一つの実施態様によれば、上記化学式４のＲ１１ないしＲ１５は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００７３】
本明細書のまた一つの実施態様によれば、上記化学式４のＲ１１ないしＲ１５は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００７４】
本明細書のまた一つの実施態様によれば、上記化学式４のＲ１１ないしＲ１５は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【００７５】
本明細書のまた一つの実施態様によれば、上記化学式４のＲ１１ないしＲ１５は、水素またはヒドロキシ基である。
【００７６】
本明細書のまた一つの実施態様によれば、上記化学式１の化合物は、下記化学式５で表される。
【００７７】
【化６】
0006699858.tif 000007
【００７８】
上記化学式５において、
Ｒ１ないしＲ６は、化学式２で定義した通りであり、
Ｒは、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｎは１ないし４の整数であり、ｎが２以上の場合、Ｒは互いに同一であるか異なっている。
【００７９】
本明細書のまた一つの実施態様によれば、上記化学式５のＲは、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００８０】
本明細書のまた一つの実施態様によれば、上記化学式５のＲは、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００８１】
本明細書のまた一つの実施態様によれば、上記化学式５のＲは、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【００８２】
本明細書のまた一つの実施態様によれば、上記化学式５のＲは、水素である。
【００８３】
本明細書のまた一つの実施態様によれば、上記化学式１の化合物は、下記化学式６で表される。
【００８４】
【化７】
0006699858.tif 000008
【００８５】
上記化学式６において、
Ｒ１ないしＲ６は、化学式２で定義した通りであり、
Ｒ１１ないしＲ１４は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【００８６】
本明細書のまた一つの実施態様によれば、上記化学式６のＲ１１ないしＲ１４は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００８７】
本明細書のまた一つの実施態様によれば、上記化学式６のＲ１１ないしＲ１４は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【００８８】
本明細書のまた一つの実施態様によれば、上記化学式６のＲ１１ないしＲ１４は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【００８９】
本明細書のまた一つの実施態様によれば、上記化学式６のＲ１１ないしＲ１４は、水素である。本明細書のまた一つの実施態様によれば、上記化学式１の化合物は、下記化学式７で表される。
【００９０】
【化８】
0006699858.tif 000009
【００９１】
上記化学式７において、
Ｒ１ないしＲ９は、化学式３で定義した通りであり、
Ｒは、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｍは１ないし３の整数であり、ｍが２以上の場合、Ｒは互いに同一であるか異なっている。
【００９２】
本明細書のまた一つの実施態様によれば、上記化学式７のＲは、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００９３】
本明細書のまた一つの実施態様によれば、上記化学式７のＲは、水素である。
【００９４】
本明細書のまた一つの実施態様によれば、上記化学式１の化合物は、下記化学式８で表される。
【００９５】
【化９】
0006699858.tif 000010
【００９６】
上記化学式８において、
Ｒ１ないしＲ９は、化学式３で定義した通りであり、
Ｒ１１ないしＲ１３は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【００９７】
本明細書のまた一つの実施態様によれば、上記化学式８のＲ１１ないしＲ１３は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【００９８】
本明細書のまた一つの実施態様によれば、上記化学式８のＲ１１ないしＲ１３は、水素である。
【００９９】
本明細書のまた一つの実施態様によれば、上記化学式１の化合物は、下記化学式９で表される。
【０１００】
【化１０】
0006699858.tif 000011
【０１０１】
上記化学式９において、
Ｒ１ないしＲ３は、化学式１で定義した通りであり、
Ｒ及びＲ'は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｐは１ないし４の整数であり、ｐが２以上の場合、Ｒは互いに同一であるか異なっており、
ｑは１ないし５の整数であり、ｑが２以上の場合、Ｒ'は互いに同一であるか異なっている。
【０１０２】
本明細書のまた一つの実施態様によれば、上記化学式９のＲ及びＲ'は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１０３】
本明細書のまた一つの実施態様によれば、上記化学式９のＲ及びＲ'は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１０４】
本明細書のまた一つの実施態様によれば、上記化学式９のＲ及びＲ'は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１０５】
本明細書のまた一つの実施態様によれば、上記化学式９のＲ及びＲ'は、水素である。
【０１０６】
本明細書のまた一つの実施態様によれば、上記化学式１の化合物は、下記化学式１０で表される。
【０１０７】
【化１１】
0006699858.tif 000012
【０１０８】
上記化学式１０において、
Ｒ１ないしＲ３は、化学式１で定義した通りであり、
Ｒ２１ないしＲ２９は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１０９】
本明細書のまた一つの実施態様によれば、上記化学式１０のＲ２１ないしＲ２９は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１１０】
本明細書のまた一つの実施態様によれば、上記化学式１０のＲ２１ないしＲ２９は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１１１】
本明細書のまた一つの実施態様によれば、上記化学式１０のＲ２１ないしＲ２９は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１１２】
本明細書のまた一つの実施態様によれば、上記化学式１０のＲ２１ないしＲ２９は、水素またはヒドロキシ基である。
【０１１３】
本明細書のまた一つの実施態様によれば、上記化学式１の化合物は、下記化学式１１で表される。
【０１１４】
【化１２】
0006699858.tif 000013
【０１１５】
上記化学式１１において、
Ｒ１ないしＲ６は、化学式２で定義した通りであり、
Ｒ及びＲ'は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｐは１ないし４の整数であり、ｐが２以上の場合、Ｒは互いに同一であるか異なっており、
ｒは１ないし４の整数であり、ｒが２以上の場合、Ｒ'は互いに同一であるか異なっている。
【０１１６】
本明細書のまた一つの実施態様によれば、上記化学式１１のＲ及びＲ'は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１１７】
本明細書のまた一つの実施態様によれば、上記化学式１１のＲ及びＲ'は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１１８】
本明細書のまた一つの実施態様によれば、上記化学式１１のＲ及びＲ'は、互いに同一であるか異なっており、それぞれ独立して、水素、ヒドロキシ基または−ＯＳｉＲａＲｂＲｃであり、 ここで、Ｒａ、Ｒｂ及びＲｃは、互いに同一であるか異なっており、Ｃ１−Ｃ２０のアルキル基である。
【０１１９】
本明細書のまた一つの実施態様によれば、上記化学式１１のＲ及びＲ'は、水素である。
【０１２０】
本明細書のまた一つの実施態様によれば、上記化学式１の化合物は、下記化学式１２で表される。
【０１２１】
【化１３】
0006699858.tif 000014
【０１２２】
上記化学式１２において、
Ｒ１ないしＲ６は、化学式２で定義した通りであり、
Ｒ２１ないしＲ２８は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１２３】
本明細書のまた一つの実施態様によれば、上記化学式１２のＲ２１ないしＲ２８は、互いに同一であるか異なっており、それぞれ独立して、水素、ヒドロキシ基、−ＯＳｉＲａＲｂＲｃ、−ＮＲｄＲｅ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｄ及びＲｅは、互いに同一であるか異なっており、それぞれ独立して、Ｃ１−Ｃ２０のアルキル基、またはＣ６−Ｃ３０のアリール基である。
【０１２４】
本明細書のまた一つの実施態様によれば、上記化学式１２のＲ２１ないしＲ２８は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１２５】
本明細書のまた一つの実施態様によれば、上記化学式１２のＲ２１ないしＲ２８は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１２６】
本明細書のまた一つの実施態様によれば、上記化学式１２のＲ２１ないしＲ２８は、水素である。
【０１２７】
本明細書のまた一つの実施態様によれば、上記化学式１の化合物は、下記化学式１３で表される。
【０１２８】
【化１４】
0006699858.tif 000015
【０１２９】
上記化学式１３において、
Ｒ１ないしＲ６は、化学式２で定義した通りであり、
Ｒ及びＲ'は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｔは１ないし６の整数であり、ｔが２以上の場合、Ｒは互いに同一であるか異なっており、
ｕは１ないし６の整数であり、ｕが２以上の場合、Ｒ'は互いに同一であるか異なっている。
【０１３０】
本明細書のまた一つの実施態様によれば、上記化学式１の化合物は、下記化学式１４で表される。
【０１３１】
【化１５】
0006699858.tif 000016
【０１３２】
上記化学式１４において、
Ｒ１ないしＲ６は、化学式２で定義した通りであり、
Ｒ３１ないしＲ４２は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１３３】
本明細書のまた一つの実施態様によれば、上記化学式１４のＲ３１ないしＲ４２は、水素である。
【０１３４】
本明細書のまた他の実施態様によれば、上記化学式１の化合物は、下記化学式１５で表される。
【０１３５】
【化１６】
0006699858.tif 000017
【０１３６】
上記化学式１５において、
Ｒ１ないしＲ３は、化学式１で定義した通りであり、
Ｒ１１及びＲ１２は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１３７】
本明細書のまた一つの実施態様によれば、上記化学式１５のＲ１１及びＲ１２は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１３８】
本明細書のまた一つの実施態様によれば、上記化学式１５のＲ１１及びＲ１２は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１３９】
本明細書のまた一つの実施態様によれば、上記化学式１５のＲ１１及びＲ１２は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１４０】
本明細書のまた一つの実施態様によれば、上記化学式１５のＲ１１及びＲ１２は、水素またはヒドロキシ基である。
【０１４１】
本明細書のまた他の実施態様において、上記化学式２の化合物は、下記化学式１６で表される。
【０１４２】
【化１７】
0006699858.tif 000018
【０１４３】
上記化学式１６において、
Ｒ１ないしＲ６は、化学式２で定義した通りであり、
Ｒ１１は、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１４４】
本明細書のまた一つの実施態様によれば、上記化学式１６のＲ１１は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１４５】
本明細書のまた一つの実施態様によれば、上記化学式１６のＲ１１は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１４６】
本明細書のまた一つの実施態様によれば、上記化学式１６のＲ１１は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１４７】
本明細書のまた一つの実施態様によれば、上記化学式１６のＲ１１は、ヒドロキシ基である。
【０１４８】
本明細書の一実施態様において、上記化学式３の化合物は、下記化学式１７で表される。
【０１４９】
【化１８】
0006699858.tif 000019
【０１５０】
上記化学式１７において、
Ｒ１ないしＲ９は、化学式３で定義した通りである。
【０１５１】
本明細書の一実施態様は、上記化学式１の化合物が、下記化学式１８で表される。
【０１５２】
【化１９】
0006699858.tif 000020
【０１５３】
上記化学式１８において、
Ｒ１ないしＲ３は、化学式１で定義した通りであり、
Ｘ１は、Ｏ、ＳまたはＮＨであり、
Ｒは、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｐは１ないし３の整数であり、ｐが２以上の場合、Ｒは互いに同一であるか異なっている。
【０１５４】
本明細書の一実施態様において、 上記化学式１の化合物は、下記化学式１９で表される。
【０１５５】
【化２０】
0006699858.tif 000021
【０１５６】
上記化学式１９において、
Ｒ１ないしＲ３は、化学式１で定義した通りであり、
Ｘ１は、Ｏ、ＳまたはＮＨであり、
Ｒ１１ないしＲ１３は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基である。
【０１５７】
本明細書のまた一つの実施態様によれば、上記化学式１９のＲ１１ないしＲ１３は、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、または Ｃ６−Ｃ３０のアリール基である。
【０１５８】
本明細書のまた一つの実施態様によれば、上記化学式１９のＲ１１ないしＲ１３は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１５９】
本明細書のまた一つの実施態様によれば、上記化学式１９のＲ１１ないしＲ１３は、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１６０】
本明細書のまた一つの実施態様によれば、上記化学式１９のＲ１１ないしＲ１３は、水素またはヒドロキシ基である。
【０１６１】
本明細書の一実施態様は、上記化学式１９のＲ１２が、ヒドロキシ基である  
本明細書の一実施態様は、上記化学式１９のＲ１１及びＲ１３が、水素である。
【０１６２】
本明細書の一実施態様は、上記化学式１９のＲ１２が、ヒドロキシ基であり、Ｒ１１及びＲ１３が、水素である。
【０１６３】
本明細書の一実施態様は、上記化学式１９のＸ１が、ＮＨである。
【０１６４】
本明細書のまた一つの実施態様において、上記化学式２の化合物は、下記化学式２０で表される。
【０１６５】
【化２１】
0006699858.tif 000022
【０１６６】
上記化学式２０において、
Ｒ１ないしＲ６は、化学式２で定義した通りであり、
Ｘ１は、Ｏ、ＳまたはＮＨであり、
Ｒは、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｎは１または２であり、ｎが２の場合、Ｒは互いに同一であるか異なっている。
【０１６７】
本明細書のまた一つの実施態様によれば、上記化学式２０のＲは、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１６８】
本明細書のまた一つの実施態様によれば、上記化学式２０のＲは、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせである。
【０１６９】
本明細書のまた一つの実施態様によれば、上記化学式２０のＲは、互いに同一であるか異なっており、それぞれ独立して、水素、ヒドロキシ基または−ＯＳｉＲａＲｂＲｃであり、ここで、Ｒａ、Ｒｂ及びＲｃは、互いに同一であるか異なっており、Ｃ１−Ｃ２０のアルキル基である。
【０１７０】
本明細書のまた一つの実施態様によれば、上記化学式２０のＲは、水素である。
【０１７１】
本明細書の一実施態様によれば、上記化学式３の化合物は、下記化学式２１で表される。
【０１７２】
【化２２】
0006699858.tif 000023
【０１７３】
上記化学式２１において、
Ｒ１ないしＲ９は、化学式３で定義した通りであり、
Ｘ１は、Ｏ、ＳまたはＮＨであり、
Ｒは、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであるか、隣接する基と互いに結合して環を形成し、ここで、ＲａないしＲｆは、互いに同一であるか異なっており、それぞれ独立して、水素、ヒドロキシ基、エステル基、カーボネート基、カルボニル基、チオ基、置換もしくは非置換のＣ１−Ｃ２０のアルキル基、置換もしくは非置換のＣ１−Ｃ２０のアルコキシ基、置換もしくは非置換のＣ２−Ｃ２０のアルケニル基、置換もしくは非置換のＣ２−Ｃ２０のアルキニル基、置換もしくは非置換のＣ２−Ｃ２０のアルキレンオキシド基、置換もしくは非置換のＣ３−Ｃ３０のシクロアルキル基、置換もしくは非置換のＣ６−Ｃ３０のアリール基、置換もしくは非置換のＣ６−Ｃ３０のアリールオキシ基、置換もしくは非置換のＣ２−Ｃ３０のヘテロアリール基、またはこれらの組合わせであり、Ｒｇ及びＲｈは、互いに同一であるか異なっており、それぞれ独立して、置換もしくは非置換のＣ１−Ｃ２０のアルキル基、または置換もしくは非置換のＣ６−Ｃ３０のアリール基であり、
ｍは１である。
【０１７４】
本明細書のまた一つの実施態様によれば、上記化学式２１のＲは、互いに同一であるか異なっており、それぞれ独立して、水素、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１７５】
本明細書のまた一つの実施態様によれば、上記化学式２１のＲは、水素である。
【０１７６】
本明細書のまた一つの実施態様によれば、上記化学式２１のＸ１は、ＮＨである。
【０１７７】
上記電気化学素子用添加剤は、電解液に添加されることもでき、電極の表面の一部または表面に、上記化学式１ないし２１のいずれか一つで表される化合物がＨＦのような酸成分を捕集して生成された物質の酸化的高分子反応によって形成された膜として形成されることもできる。上記電極の表面の一部または表面に備えられた膜は、電池の製造時に電解液に上述した電気化学素子用添加剤が添加されることで電極の表面の一部または全部に形成されることができ、電極に直接上述した電気化学素子用添加剤を塗布することで形成されることもできる。上記電気化学素子用添加剤は、ＨＦのような酸成分による電池性能の低下を防止し、高温サイクル特性を改善して、高温貯蔵時にも電圧降下が減少され、高温保管性能が向上する。また、電極の表面に保護膜を形成して、電池の容量、寿命、出力、高温特性など種々の性能を同時に改善することができる。一例によれば、上述した実施態様に係る電気化学素子用添加剤は、４．４Ｖの高電圧でも適用可能である。
【０１７８】
本明細書の実施態様に係る電極の表面に備えられた保護膜は、上記化学式１ないし２１のいずれか一つで表される化合物自体ではなく、上記化合物がＨＦのような酸成分を捕集して生成された物質の酸化的高分子反応によって形成された生成物を含むという点に注目しなければならない。このような生成物を含む保護膜は、上記化学式１ないし２１のいずれか一つで表される化合物自体からなる層を電極の一面に形成する場合に比べて、保護膜の役割を効率的に果たすことができるだけでなく、必要な場合、別途の膜形成工程なしに電池内の電解液添加剤として使用することで、自然に電極の表面に膜を形成することができるので、工程上でも利点がある。
【０１７９】
上記置換基の例示は下記に説明するが、これに限定されるものではない。
【０１８０】
本明細書において「置換もしくは非置換の」という用語は、ヒドロキシ基、−ＯＳｉＲａＲｂＲｃ、−ＳｉＲｄＲｅＲｆ、−ＮＲｇＲｈ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせからなる群より選択された１つ以上の置換基で置換されたか、またはいずれの置換基も持たないことを意味する。ここで、ＲａないしＲｆは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｇ及びＲｈは、互いに同一であるか異なっており、それぞれ独立して、Ｃ１−Ｃ２０のアルキル基、またはＣ６−Ｃ３０のアリール基である。
【０１８１】
本明細書において、上記アルキル基は、直鎖または分枝鎖であってもよく、炭素数は特に限定されないが、１ないし２０であることが好ましい。具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、４−メチルヘキシル、５−メチルヘキシルなどがあるが、これらに限定されない。
【０１８２】
本明細書において、シクロアルキル基は、特に限定されないが、炭素数３ないし３０であることが好ましく、具体的に、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これに限定されない。
【０１８３】
本明細書において、 上記アルコキシ基は、直鎖、分枝鎖または環状であってもよい。アルコキシ基の炭素数は、特に限定されないが、炭素数１ないし２０であることが好ましい。具体的に、メトキシ、エトキシ、ｎ−プロポキシ、 イソプロポキシ、ｉ−プロピルオキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどであってもよいが、これに限定されるものではない。
【０１８４】
本明細書において、上記アルケニル基は、直鎖または分枝鎖であってもよく、炭素数は特に限定されないが、２ないし２０であることが好ましい。具体的な例としては、ビニル、１−プロペニル、イソプロペニル、１−ブテニル、２−ブテニル、３−ブテニル、１−ペンテニル、２−ペンテニル、３−ペンテニル、３−メチル−１−ブテニル、１，３−ブタジエニル、アリル、１−フェニルビニル−１−イル、２−フェニルビニル−１−イル、２，２−ジフェニルビニル−１−イル、２−フェニル−２−（ナフチル−１−イル）ビニル−１−イル、２，２−ビス（ジフェニル−１−イル）ビニル−１−イル、スチルベニル基、スチレニル基などがあるが、これらに限定されない。
【０１８５】
本明細書において、アリール基は、単環式アリール基または多環式アリール基であってもよい。上記アリール基の炭素数は、特に限定されないが、炭素数６ないし３０であることが好ましい。具体的に、アリール基としては、フェニル基、ビフェニル基、ターフェニル基、ナフチル基、ビナフチル基、アントラセニル基、フェナントリル基、ピレニル基、ペリレニル基、クリセニル基、フルオレニル基などが挙げられるが、これに限定されるものではない。
【０１８６】
本明細書において、ヘテロアリール基は、異種元素としてＯ、Ｎ及びＳのうち１つ以上を含む環基であって、炭素数は特に限定されないが、炭素数２ないし３０であることが好ましい。ヘテロアリール基の例としては、チオフェン基、フラン基、ピロール基、イミダゾール基、チアゾール基、オキサゾール基、オキサジアゾール基、トリアゾール基、ピリジル基、ビピリジル基、ピリミジル基、トリアジン基、トリアゾール基、アクリジル基、ピリダジン基、ピラジニル基、キノリニル基、キナゾリン基、キノキサリニル基、フタラジニル基、ピリドピリミジニル基、ピリドピラジニル基、ピラジノピラジニル基、イソキノリン基、インドール基、カルバゾール基、ベンゾオキサゾール基、ベンゾイミダゾール基、ベンゾチアゾール基、ベンゾカルバゾール基、ベンゾチオフェン基、ジベンゾチオフェン基、ベンゾフラニル基、フェナントロリン基(phenanthroline)、チアゾリル基、イソオキサゾリル基、オキサジアゾリル基、チアジアゾリル基、ベンゾチアゾリル基、フェノチアジニル基及びジベンゾフラニル基などがあるが、これらにのみ限定されるものではない。
【０１８７】
本明細書において、アルキレンオキシド基中のアルキレンは、二価基であることを除いては、上述したアルキル基に関する説明が適用されることができる。
【０１８８】
本明細書において、アリールオキシ基中のアリールは、上述したアリール基に関する説明が適用されることができる。
【０１８９】
本明細書において、エステル基は、−ＣＯＯＲｆで表されることができ；Ｒｆは、ヒドロキシ基、−ＯＳｉＲｇＲｈＲｉ、−ＮＲｊＲｋ、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせからなる群より選択された１つ以上の置換基で置換されたか、またはいずれの置換基も持たないことを意味する。ここで、Ｒｇ、Ｒｈ及びＲｉは、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせであり、Ｒｊ及びＲｋは、互いに同一であるか異なっており、それぞれ独立して、Ｃ１−Ｃ２０のアルキル基、またはＣ６−Ｃ３０のアリール基である。
【０１９０】
本明細書において、カーボネート基は、−ＣＯ３Ｒｍで表されることができ；Ｒｍの定義は、上述したＲｆの定義の通りである。
【０１９１】
本明細書において、カルボニル基は、−ＣＯＲｎで表されることができ；Ｒｎの定義は、上述したＲｆの定義の通りである。
【０１９２】
本明細書において、置換基の「組合わせ」とは、２以上の置換基が結合された構造を意味する。
【０１９３】
上述した実施態様に係る化学式１ないし２１のいずれか一つで表される化合物は、ＨＦを捕集した後、酸化的高分子反応によって膜またはフィルムを形成する。
【０１９４】
本明細書の一実施態様によれば、上記電解液は、上述した実施態様に係る化学式１ないし２１のいずれか一つで表される化合物を含む電気化学素子用添加剤を含む。
【０１９５】
本明細書の一実施態様によれば、上記電解液中の上述した実施態様に係る化学式１ないし２１のいずれか一つで表される化合物の含量は、０．０１重量％ないし５重量％である。上記化学式１ないし２１のいずれか一つで表される化合物が、電解液全体に対して０．０１重量％未満で含まれる場合、所望の寿命維持の効果が小さいおそれがあり、５重量％以下で含まれる場合、添加剤による電気化学素子の性能低下を防止することができる。
【０１９６】
本明細書のまた一つの実施態様によれば、上記電解液中の上述した実施態様に係る化学式１ないし２１のいずれか一つで表される化合物の含量は、０．０１重量％ないし２重量％である。
【０１９７】
本明細書のまた一つの実施態様によれば、上記電解液中の上述した実施態様に係る化学式１ないし２１のいずれか一つで表される化合物の含量は、０．０５重量％ないし１重量％である。
【０１９８】
本明細書の一実施態様によれば、上記電解液は、電解質塩及び電解液溶媒をさらに含むことができる。
【０１９９】
本明細書の一実施態様によれば、上記電解質塩は、リチウム陽イオンを含み、ＰＦ６−、ＢＦ４−、Ｃｌ−、Ｂｒ−、Ｉ−、ＣｌＯ４−、ＡｓＦ６−、ＳＯ３ＣＦ３−、Ｎ（ＳＯ２ＣＦ３）２−、Ｎ（ＳＯ２Ｆ）２−のような陰イオンまたはこれらの一つ以上の組合わせからなるイオンを含む塩であってもよい。
【０２００】
本明細書の一実施態様によれば、上記電解液溶媒は、有機溶媒であってもよい。具体的に、環状カーボネート、線状カーボネート、環状エステル、線状エステル及びこれらの組合わせであってもよい。より具体的に、上記電解液溶媒の非制限的な例としては、プロピレンカーボネート(ＰＣ)、エチレンカーボネート(ＥＣ)、ジエチルカーボネート(ＤＥＣ)、ジメチルカーボネート(ＤＭＣ)、エチルメチルカーボネート(ＥＭＣ)、ジプロピルカーボネート(ＤＰＣ)、ジメチルスルホキシド、アセトニトリル、ジメトキシエタン、ジエトキシエタン、テトラヒドロフラン(ＴＨＦ)、Ｎ−メチル−２−ピロリドン(ＮＭＰ)、γ−ブチロラクトン(ＧＢＬ)、フルオロエチレンカーボネート(ＦＥＣ)、ギ酸メチル、ギ酸エチル、ギ酸プロピル、酢酸メチル、酢酸エチル、酢酸プロピル、酢酸ブチルなどが使用されることができる。上記有機溶媒は、単独でまたは２種以上混合して使用することができる。２種以上を混合して使用する場合の混合比率は、目的とするリチウム二次電池の性能によって適宜調節することができ、これは当該技術分野に従事する人には広く理解されることができる。また、上記有機溶媒のハロゲン誘導体も使用することができる。
【０２０１】
本明細書の一実施態様によれば、上記電解液は、非水系電解液であってもよい。
【０２０２】
本明細書の一実施態様によれば、上記電解液は、電気化学素子用であってもよい。具体的に、上記電解液は、リチウム二次電池用であってもよい。
【０２０３】
本明細書の一実施態様は、上述した化学式１ないし２１のいずれか一つで表される化合物がＨＦのような酸成分を捕集して生成された物質の酸化的高分子反応によって形成された膜を、表面の一部または全部に備えた電極を提供する。 上記膜の厚さは、必要によって調節されることができる。
【０２０４】
本明細書の一実施態様によれば、上述した化学式１ないし２１のいずれか一つで表される化合物がＨＦのような酸成分を捕集して生成された物質の酸化的高分子反応によって形成された膜に含まれる高分子は、下記化学式２２または２３の繰り返し単位を有することができる。
【０２０５】
【化２３】
0006699858.tif 000024
【０２０６】
上記化学式２２または２３は、追加の置換基を有することができる。上記化学式１５または１６に置換されることができる追加の置換基の例としては、ヒドロキシ基、−ＯＳｉＲ Ｒ’Ｒ”、−ＳｉＲＲ’Ｒ”、−ＮＲＲ’、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせがあり、ここで、 Ｒ、Ｒ’及びＲ”は、互いに同一であるか異なっており、水素、ヒドロキシ基、エステル基、カーボネート基、カルボニル基、チオ基、Ｃ１−Ｃ２０のアルキル基、Ｃ１−Ｃ２０のアルコキシ基、Ｃ２−Ｃ２０のアルケニル基、Ｃ２−Ｃ２０のアルキニル基、Ｃ２−Ｃ２０のアルキレンオキシド基、Ｃ３−Ｃ３０のシクロアルキル基、Ｃ６−Ｃ３０のアリール基、Ｃ６−Ｃ３０のアリールオキシ基、Ｃ２−Ｃ３０のヘテロアリール基、またはこれらの組合わせがある。
【０２０７】
ところが、上記膜に含まれる高分子は、上記化学式２２または２３の繰り返し単位のみを含むものに限定されるものではなく、上述した化学式１ないし２１のいずれか一つで表される化合物がＨＦのような酸成分を捕集して生成された物質の酸化的高分子反応によって形成されたものであれば、特に限定されない。
【０２０８】
本明細書の一実施態様によれば、上記電極は、正極、負極、または正極と負極であってもよい。具体的に、上記電極は、正極であってもよい。
【０２０９】
本明細書の一実施態様は、正極、負極、セパレータ及び電解液を含む二次電池に関し、上記電解液は、上述した電気化学素子用添加剤を含む。
【０２１０】
本明細書の一実施態様は、正極、負極、セパレータ及び電解液を含む二次電池に関し、上記電解液は、上述した電気化学素子用添加剤を含み、上記正極及び負極のうち少なくとも一つは、上述した化学式１ないし２１のいずれか一つで表される化合物がＨＦのような酸成分を捕集して生成された物質の酸化的高分子反応によって形成された膜を、表面の一部または全部に備えた電極である。
【０２１１】
本明細書の一実施態様は、正極、負極、セパレータ及び電解液を含む電気化学素子に関し、上記正極及び負極のうち少なくとも一つは、上述した化学式１ないし２１のいずれか一つで表される化合物がＨＦのような酸成分を捕集して生成された物質の酸化的高分子反応によって形成された膜を、表面の一部または全部に備えた電極である。
【０２１２】
本明細書の一実施態様によれば、上記正極は、遷移金属を含む正極活物質を含み、上記正極の表面の一部または全部に備えられた化学式１ないし２１のいずれか一つで表される化合物がＨＦのような酸成分を捕集して生成された物質の酸化的高分子反応によって形成された膜を含む。
【０２１３】
本明細書の一実施態様によれば、上記電気化学素子は、二次電池、例えばリチウム二次電池であってもよい。  
本明細書の一実施態様によれば、上記負極は、当該技術分野に知られている材料及び方法で製造されることができ、例えば、負極活物質、バインダー、溶媒、導電材及び／または分散剤を混合及び撹拌してスラリーを製造した後、これを金属材料の集電体にコーティングし、圧縮乾燥して製造されることができる。
【０２１４】
本明細書の一実施態様によれば、上記負極活物質は、従来二次電池の負極に使用されることができる通常の負極活物質が使用可能である。上記負極活物質の非制限的な例としては、リチウム金属またはリチウム金属合金、コークス(coke)、活性炭(activated carbon)、グラファイト(graphite)、黒鉛化炭素、カーボンナノチューブ、グラフェン(graphine)及び／またはその他炭素類などのリチウムが吸蔵される物質が挙げられる。負極集電体は、銅、ニッケルなどとこれらの合金類の組合わせによる箔などを使用することができる。
【０２１５】
本明細書の一実施態様によれば、上記正極は、一般的な方法によって正極活物質が正極集電体上に塗布される形態で製造されたものであってもよい。上記正極活物質は、二次電池の正極活物質として使用される通常の物質が制限なく適用されることができ、これに関する例として、ＬｉＣｏＯ２、ＬｉＮｉＯ２、ＬｉＭｎＯ２、ＬｉＭｎ２Ｏ４、Ｌｉ（ＮｉａＣｏｂＭｎＣ）Ｏ２（ａ、ｂ、ｃは、それぞれ０から１までの数であり、ａ＋ｂ＋ｃ＝１)、 ＬｉＦｅＰＯ４またはこれらの一つ以上の混合物であってもよい。正極集電体は、アルミニウム、ニッケルなどとこれらの一つ以上の合金類の組合わせによる箔などであってもよい。
【０２１６】
本明細書の一実施態様によれば、上記セパレータは、特に制限がなく、多孔性膜の形態であってもよい。具体的に、上記セパレータは、ポリエチレン、ポリプロピレン、その他ポリオレフィン系の膜あるいはこれらの多層膜で形成されたものであってもよい。または、上記セパレータにセラミックコーティングが適用されたものであってもよい。
【０２１７】
本明細書の一実施態様に係る二次電池は、当該技術分野に知られている通常の方法で製造されることができ、上記の負極、正極、セパレータを含んで組み立てられた円筒型、角型、パウチ型の外形に電解液を注入して製造されることができる。
【実施例】
【０２１８】
以下、本明細書を具体的に説明するために、実施例を挙げて詳細に説明する。ところが、本明細書に係る実施例は、種々の他の形態に変形されることができ、本明細書の範囲が、以下で詳述する実施例に限定されるものと解釈されない。本明細書の実施例は、当業界における平均的な知識を有する者に本明細書をより完全に説明するために提供されるものである。
【０２１９】
[実施例１ないし８]
１ＭのＬｉＰＦ６濃度のエチレンカーボネートとエチルメチルカーボネート１：２体積比の溶液に、下記表１の化合物を０．５重量％で添加して電解液を製造した。
【０２２０】
負極として、黒鉛化炭素９０重量％とポリビニリデンジフルオリド(ＰＶＤＦ)１０重量％をＮ−メチル−２−ピロリドン(ＮＭＰ)に入れてミキサーで２時間混合した後、銅箔にコーティングして１５０℃で乾燥した。正極は、ＬｉＣｏＯ２９０重量％、ＰＶＤＦ３重量％、カーボンブラック７重量％をＮＭＰスラリーとして２時間混合した後、アルミ箔にコーティングし、１５０℃で乾燥して製造した。製造された負極と正極との間にポリオレフィン系セパレータを介在させた後、上記電解液を注入して円筒型二次電池を作製した。
【０２２１】
[比較例１]
添加剤として下記表１の化合物を使用したことを除いては、実施例と同一に行った。
【０２２２】
[実験例]
上記実施例１ないし８と比較例１で製造された各二次電池に対して、下記のような実験を行った。各電池を０．５Ｃ電流で４．４Ｖと３Ｖの範囲で２３℃ 及び４５℃で充電と放電を繰り返して、電池の放電容量の変化を測定した。正極保護効果を確認するために、４．２Ｖでない４．４Ｖの高電圧まで充電し、０．５Ｃではない１．０Ｃの比較的速い律速(Ｃ−ｒａｔｅ)で放電を行った。最初放電容量に対する２００回充放電サイクル以後の放電容量維持率を、次の表１に示す。
【０２２３】
【表１】
0006699858.tif 000025
【０２２４】
上記表１から分かるように、比較例に比べて、実施例において、放電容量維持率及び高温保管性能に優れていた。これによって、本明細書の実施態様に係る添加剤が、電気化学素子の容量維持を改善できることを確認することができた。
【０２２５】
上記実施例において放電容量維持率(％)、６０℃で５０日保管後の電池電圧(Ｖ)及び電池電圧維持率(％)は、下記のように測定された。
【０２２６】
[放電容量維持率の測定方法]
製造されたリチウム二次電池に対して、０．５Ｃ−ｒａｔｅで４．４Ｖまで充電した後、１．０Ｃ−ｒａｔｅで３．０Ｖまで放電して、容量の変化を観察した。
【０２２７】
上記６０℃で５０日保管後の電池電圧(Ｖ)は、０．５Ｃ−ｒａｔｅで４．４Ｖまで充電した後、６０℃で５０日間ＯＣＶを測定した値を意味する。
【０２２８】
上記電池電圧維持率(％)は、６０℃高温貯蔵前の電圧(４．４Ｖ)に対する６０℃で５０日保管後の電圧の比率を意味する。